【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
構成物を組み立てる方法であって、前記方法は、
−少なくとも２つの第１の要素（２０１、３０１）の第１群（２０、３０）を作成するステップ（５０１）であって、個別の第１の要素（２０１、３０１）が、
−互いから離間する少なくとも１つの第１の端面（１０１）及び少なくとも１つの第２の端面（１０２）と、
−少なくとも１つの長孔（１０５）と、
−高さが前記少なくとも１つの第１の端面（１０１）と前記少なくとも１つの第２の端面（１０２）との間の距離に満たない首部（１０６）と、を備え、
−前記少なくとも２つの第１の要素（２０１、３０１）は、交差するように、少なくとも部分的に組み合わされ、少なくとも１つの第１の要素（２０１、３０１）の前記少なくとも１つの長孔（１０５）は、少なくとも１つの他の第１の要素（２０１、３０１）の前記首部（１０６）に対して、少なくとも部分的に寸法決めされる、ステップ（５０１）と、
−前記ステップに応じて、少なくとも２つの第１の要素（２０１、３０１）を少なくとも部分的に組み合わせるステップ（２３、３５、５０２）とを含む、方法において、
前記方法は、
−少なくとも２つの第２の要素（２１１、３１１）の第２群（２１、３１）を作成するステップ（５０３）であって、個別の第２の要素（２１１、３１１）が、
−互いから離間する少なくとも１つの第１の端面（１０１）及び少なくとも１つの第２の端面（１０２）と、
−少なくとも１つの長孔（１０５）と、
−高さが前記少なくとも１つの第１の端面（１０１）と前記少なくとも１つの第２の端面（１０２）との間の距離に満たない首部（１０６）と、を備え、
−前記少なくとも２つの第２の要素（２１１、３１１）は、交差するように、少なくとも部分的に組み合わされ、少なくとも１つの第２の要素（２１１、３１１）の前記少なくとも１つの長孔（１０５）は、少なくとも１つの他の第２の要素（２１１、３１１）の前記首部（１０６）に対して、少なくとも部分的に寸法決めされる、ステップ（５０３）と、
−前記ステップに応じて、前記少なくとも２つの第２の要素（２１１、３１１）を少なくとも部分的に組み合わせるステップ（２４、３６、５０４）と、
−少なくとも１つの第２の要素（２１１、３１１）の前記少なくとも１つの第２の端面（１０２）を、前記少なくとも１つの第１の要素（２０１、３０１）の前記少なくとも１つの第１の端面（１０１）に少なくとも部分的に装着し、要素のそれぞれの群（２０、３０）が前記構成物の層を形成するステップ（２３〜２４、３５〜３６、５０５〜５０６、５１１）と、をさらに含むことを特徴とする、方法。
【請求項２】
前記方法は、少なくとも１つの他の層を作成するステップであって、
−少なくとも２つの第３の要素（２２１、３２１、３３１、３４１）の少なくとも１つの第３群（２２、３２〜３４）を作成するステップ（５０７）であって、個別の第３の要素（２２１、３２１、３３１、３４１）が、
−互いから離間する少なくとも１つの第１の端面（１０１）と少なくとも１つの第２の端面（１０２）と、
−少なくとも１つの長孔（１０５）と、
−高さが前記少なくとも１つの第１の端面（１０１）と前記少なくとも１つの第２の端面（１０２）との間の距離に満たない首部（１０６）と、を備え、
−前記少なくとも２つの第３の要素（２２１、３２１、３３１、３４１）は、交差するように、少なくとも部分的に組み合わすことができ、少なくとも１つの第３の要素（２２１、３２１、３３１、３４１）の前記少なくとも１つの長孔（１０５）は、少なくとも１つの他の第３の要素（２２１、３２１、３３１、３４１）の前記首部（１０６）に対して、少なくとも部分的に寸法決めされる、ステップ（５０７）と、
−前記ステップに応じて、少なくとも２つの第３の要素（２２１、３２１、３３１、３４１）を少なくとも部分的に組み合わせるステップ（２５、３７〜３９、５０８）と、
−前記構成物の前の層（２４、３６〜３８）にて、少なくとも１つの第３の要素（２２１、３２１、３３１、３４１）の前記少なくとも１つの第２の端面（１０２）を、少なくとも１つの要素（２１１、３１１、３２１、３３１）の少なくとも１つの第１の端面（１０１）に少なくとも部分的に装着するステップ（５０９〜５１０、５１１）と、
によって、前記少なくとも１つの他の層を前記構成物に加えることができるステップをさらに含むことを特徴とする、請求項１に記載の方法。
【請求項３】
前記方法は、要素の少なくとも１つの群（２０〜２２、３０〜３４）の前記少なくとも２つの要素（２０１、２１１、２２１、３０１、３１１、３２１、３３１、３４１）の前記第１の端面（１０１）が、組み合わされた場合に互いに比較したとき、同一レベルに少なくとも部分的に位置づけられるように、前記少なくとも２つの要素（２０１、２１１、２２１、３０１、３１１、３２１、３３１、３４１）の前記第１の端面（１０１）を寸法決めするステップ（５０５〜５０６、５０９〜５１１）をさらに含むことを特徴とする、請求項２に記載の方法。
【請求項４】
前記方法は、要素の少なくとも１つの群（２０〜２２、３０〜３４）の前記少なくとも２つの要素（２０１、２１１、２２１、３０１、３１１、３２１、３３１、３４１）の前記第１の端面（１０１）が、組み合わされた場合に互いに比較したとき、異なるレベルに少なくとも部分的に位置づけられるように、前記少なくとも２つの要素（２０１、２１１、２２１、３０１、３１１、３２１、３３１、３４１）の前記第１の端面（１０１）を寸法決めするステップ（５０５〜５０６、５０９〜５１１）をさらに含むことを特徴とする、請求項２に記載の方法。
【請求項５】
前記方法は、少なくとも２つの要素（２０１、２１１、２２１、３０１、３１１、３２１、３３１、３４１）の少なくとも１つの群（２０〜２２、３０〜３４）の少なくとも１つの個別の要素（２０１、２１１、２２１、３０１、３１１、３２１、３３１、３４１）を、少なくとも２つの構成物を互いに接続する接続要素（４０４〜４０６）であるように構成するステップであって、前記少なくとも１つの接続要素（４０４〜４０６）は、
−第１の端部（４００４）及び第２の端部（４００５）と、
−前記第１の端部（４００４）と前記第２の端部（４００５）との間で、互いから離間する少なくとも１つの第１の端面（４００１）及び少なくとも１つの第２の端面（４００２）と、
−実質的に前記第１の端部（４００４）にある少なくとも１つの長孔（４００３）及び実質的に前記第２の端部（４００５）にある少なくとも１つの長孔（４００３）であって、前記少なくとも２つの長孔（４００３）は、前記少なくとも１つの第１の端面（４００１）及び／又は前記少なくとも１つの第２の端面（４００２）から、高さが前記少なくとも１つの第１の端面（４００１）と前記少なくとも１つの第２の端面（４００２）との間の距離に満たない少なくとも１つの首部（４００６）に向かって延びる、長孔（４００３）と、を備え、
−前記少なくとも１つの接続要素（４０４〜４０６）は、少なくとも２つの要素（２０１、２１１、２２１、３０１、３１１、３２１、３３１、３４１）の前記少なくとも１つの群（２０〜２２、３０〜３４）の少なくとも１つの個別の要素（２０１、２１１、２２１、３０１、３１１、３２１、３３１、３４１）と交差するように、少なくとも部分的に組み合わせることができ、前記少なくとも１つの接続要素（４０４〜４０６）の両端部（４００４、４００５）の前記少なくとも１つの長孔（４００３）は、少なくとも２つの要素（２０１、２１１、２２１、３０１、３１１、３２１、３３１、３４１）の前記少なくとも１つの群（２０〜２２、３０〜３４）の前記少なくとも１つの他の個別の要素（２０１、２１１、２２１、３０１、３１１、３２１、３３１、３４１）の前記首部（１０５）に対して、少なくとも部分的に寸法決めされる、ステップをさらに含むことを特徴とする、請求項２に記載の方法。
【請求項６】
前記方法は、前記ステップに応じて、前記少なくとも１つの接続要素（４０４〜４０６）を、少なくとも２つの要素（２０１、２１１、２２１、３０１、３１１、３２１、３３１、３４１）の前記少なくとも１つの群（２０〜２２、３０〜３４）の少なくとも１つの個別の要素（２０１、２１１、２２１、３０１、３１１、３２１、３３１、３４１）と、少なくとも部分的に組み合わせるステップ（４０〜４２）をさらに含むことを特徴とする、請求項５に記載の方法。
【請求項７】
前記方法は、前記少なくとも２つの接続要素（４０４〜４０６）の一方の少なくとも１つの長孔（４００３）を、少なくとも１つの交点（４１０）を形成する前記少なくとも２つの接続要素（４０４〜４０６）の他方の少なくとも１つの首部（４００６）に対して、少なくとも部分的に寸法決めすることによって、前記少なくとも１つの接続要素（４０４〜４０６）を、少なくとも１つの他の接続要素（４０４〜４０６）と組み合わせるステップをさらに含むことを特徴とする、請求項６に記載の方法。
【請求項８】
前記方法は、少なくとも１つの結合部（４０７〜４０９）によって、前記少なくとも１つの接続要素（４０４〜４０６）を、前記少なくとも１つの他の接続要素（４０４〜４０６）とさらに組み合わせるステップであって、前記少なくとも１つの結合部（４０７〜４０９）は、
−互いから離間する少なくとも１つの第１の端面（１０１）及び少なくとも１つの第２の端面（１０２）と、
−少なくとも１つの長孔（１０５）と、
−高さが前記少なくとも１つの第１の端面（１０１）と前記少なくとも１つの第２の端面（１０２）との間の距離に満たない首部（１０６）と、を備え、
前記少なくとも１つの結合部（４０７〜４０９）の前記少なくとも１つの長孔（１０５）は、前記少なくとも２つの接続要素（４０４〜４０６）の前記交点（４１０）に対して、少なくとも部分的に寸法決めされる、ステップをさらに含むことを特徴とする、請求項７に記載の方法。
【請求項９】
前記方法は、少なくとも２つの要素の１つの群（２０〜２２、３０〜３４）の前記の個別の要素（２０１、２１１、２２１、３０１、３１１、３２１、３３１、３４１）を、交差するように、少なくとも部分的に組み合わせ、少なくとも１つの個別の要素（２０１、２１１、２２１、３０１、３１１、３２１、３３１、３４１）の前記少なくとも１つの長孔（１０５）は、少なくとも２つの要素の同一の群の少なくとも１つの他の個別の要素（２０１、２１１、２２１、３０１、３１１、３２１、３３１、３４１）の前記首部（１０６）に対して、少なくとも部分的に寸法決めされるステップ（２０〜２５、３０〜３９、５０２、５０４、５０８）をさらに含むことを特徴とする、請求項１〜８のいずれか１項に記載の方法。
【請求項１０】
前記方法は、前記構成物の前の層（２３〜２５、３５〜３９）にて、少なくとも１つの個別の第２又は第３の要素（２１１、２２１、３１１、３２１、３３１、３４１）の少なくとも１つの第２の端面（１０２）を、少なくとも１つの個別の第１、第２又は第３の要素（２０１、２１１、２２１、３０１、３１１、３２１、３３１、３４１）の少なくとも１つの第１の端面（１０１）に少なくとも部分的に装着するステップ（５０５、５０９〜５１０）をさらに含むことを特徴とする、請求項９に記載の方法。
【請求項１１】
前記方法は、前記構成物を組み立てることによって三次元物体を形成するステップ（２３〜２５、３５〜３９、５１１）をさらに含むことを特徴とする、請求項１〜１０のいずれか１項に記載の方法。
【請求項１２】
組立式構成物であって、前記構成物は、
−少なくとも２つの第１の要素（２０１、３０１）の第１群（２０、３０）であって、個別の第１の要素（２０１、３０１）が、
−互いから離間する少なくとも１つの第１の端面（１０１）及び少なくとも１つの第２の端面（１０２）と、
−少なくとも１つの長孔（１０５）と、
−高さが前記少なくとも１つの第１の端面（１０１）と前記少なくとも１つの第２の端面（１０２）との間の距離に満たない首部（１０６）と、を備え、
−前記少なくとも２つの第１の要素（２０１、３０１）は、交差するように、少なくとも部分的に組み合わすことができ、少なくとも１つの第１の要素（２０１、３０１）の前記少なくとも１つの長孔（１０５）は、少なくとも１つの他の第１の要素（２０１、３０１）の前記首部（１０６）に対して、少なくとも部分的に寸法決めされる、第１群（２０、３０）を備える、構成物において、前記構成物は、
−少なくとも２つの第２の要素（２１１、３１１）の第２群（２１、３１）であって、個別の第２の要素（２１１、３１１）が、
−互いから離間する少なくとも１つの第１の端面（１０１）と少なくとも１つの第２の端面（１０２）と、
−少なくとも１つの長孔（１０５）と、
−高さが前記少なくとも１つの第１の端面（１０１）と前記少なくとも１つの第２の端面（１０２）との間の距離に満たない首部（１０６）と、を備える、第２群をさらに備え、
−前記少なくとも２つの第２の要素（２１１、３１１）は、交差するように、少なくとも部分的に組み合わすことができ、少なくとも１つの第２の要素（２１１、３１１）の前記少なくとも１つの長孔（１０５）は、少なくとも１つの他の第２の要素（２１１、３１１）の前記首部（１０６）に対して、少なくとも部分的に寸法決めされ、
−少なくとも１つの第２の要素（２１１、３１１）の前記少なくとも１つの第２の端面（１０２）は、要素の群（２０、３０）がそれぞれ、前記構成物の層（２３〜２４、３５〜３６）を形成するように、前記少なくとも１つの第１の要素（２０１、３０１）の前記少なくとも１つの第１の端面（１０１）に少なくとも部分的に装着することができることを特徴とする、構成物。
【請求項１３】
前記構成物は、
少なくとも１つの他の層（２５、３７〜３９）であって、
−個別の第３の要素（２２１、３２１、３３１、３４１）が、
−互いから離間する少なくとも１つの第１の端面（１０１）と少なくとも１つの第２の端面（１０２）と、
−少なくとも１つの長孔（１０５）と、
−高さが前記少なくとも１つの第１の端面（１０１）と前記少なくとも１つの第２の端面（１０２）との間の距離に満たない首部（１０６）とを備える、
少なくとも２つの第３の要素（２２１、３２１、３３１、３４１）の少なくとも１つの第３群（２２、３２〜３４）を加えることによって、前記構成物に加えられる層をさらに備え、
−前記少なくとも２つの第３の要素（２２１、３２１、３３１、３４１）は、交差するように、少なくとも部分的に組み合わすことができ、少なくとも１つの第３の要素（２２１、３２１、３３１、３４１）の前記少なくとも１つの長孔（１０５）は、少なくとも１つの他の第３の要素（２２１、３２１、３３１、３４１）の前記首部（１０６）に対して、少なくとも部分的に寸法決めされ、
−少なくとも１つの第３の要素（２２１、３２１、３３１、３４１）の前記少なくとも１つの第２の端面（１０２）は、前記構成物の前の層（２４、３６〜３８）にて、少なくとも１つの要素（２１１、３１１、３２１、３３１）の少なくとも１つの第１の端面（１０１）に対して、少なくとも部分的に寸法決めすることができる、ことを特徴とする、請求項１２に記載の構成物。
【請求項１４】
要素の少なくとも１つの群（２０〜２２、３０〜３４）の前記少なくとも２つの要素（２０１、２１１、２２１、３０１、３１１、３２１、３３１、３４１）の前記第１の端面（１０１）は、組み合わされた場合に互いに比較したとき、少なくとも部分的に同一レベルに位置づけられることを特徴とする、請求項１３に記載の構成物。
【請求項１５】
要素の少なくとも１つの群（２０〜２２、３０〜３４）の前記少なくとも２つの要素（２０１、２１１、２２１、３０１、３１１、３２１、３３１、３４１）の前記第１の端面（１０１）は、組み合わされた場合に互いに比較したとき、異なるレベルに位置づけられることを特徴とする、請求項１３に記載の構成物。
【請求項１６】
少なくとも２つの要素（２０１、２１１、２２１、３０１、３１１、３２１、３３１、３４１）の少なくとも１つの群（２０〜２２、３０〜３４）の少なくとも１つの個別の要素（２０１、２１１、２２１、３０１、３１１、３２１、３３１、３４１）は、少なくとも２つの構成物を互いに接続する接続要素（４０４〜４０６）であるように構成されることを特徴とする、請求項１３に記載の構成物。
【請求項１７】
前記少なくとも１つの接続要素（４０４〜４０６）は、
−第１の端部（４００４）及び第２の端部（４００５）と、
−前記第１の端部（４００４）と前記第２の端部（４００５）との間で、互いから離間する少なくとも１つの第１の端面（４００１）及び少なくとも１つの第２の端面（４００２）と、
−実質的に前記第１の端部（４００４）にある少なくとも１つの長孔（４００３）及び実質的に前記第２の端部（４００５）にある少なくとも１つの長孔（４００３）であって、前記少なくとも２つの長孔（４００３）は、前記少なくとも１つの第１の端面（４００１）及び／又は前記少なくとも１つの第２の端面（４００２）から、高さが前記少なくとも１つの第１の端面（４００１）と前記少なくとも１つの第２の端面（４００２）との間の距離に満たない少なくとも１つの首部（４００６）に向かって延びる、長孔（４００３）と、を備え、
−前記少なくとも１つの接続要素（４０４〜４０６）は、少なくとも２つの要素（２０１、２１１、２２１、３０１、３１１、３２１、３３１、３４１）の前記少なくとも１つの群（２０〜２２、３０〜３４）の少なくとも１つの個別の要素（２０１、２１１、２２１、３０１、３１１、３２１、３３１、３４１）と、交差するように、少なくとも部分的に組み合わせることができ、前記少なくとも１つの接続要素（４０４〜４０６）の両端部（４００４、４００５）の前記少なくとも１つの長孔（４００３）は、少なくとも２つの要素（２０１、２１１、２２１、３０１、３１１、３２１、３３１、３４１）の前記少なくとも１つの群（２０〜２２、３０〜３４）の前記少なくとも１つの他の個別の要素（２０１、２１１、２２１、３０１、３１１、３２１、３３１、３４１）の前記首部（１０５）に対して、少なくとも部分的に寸法決めされ、
−前記少なくとも１つの接続要素（４０４〜４０６）は、少なくとも２つの要素（２０１、２１１、２２１、３０１、３１１、３２１、３３１、３４１）の前記少なくとも１つの群（２０〜２２、３０〜３４）の少なくとも１つの個別の要素（２０１、２１１、２２１、３０１、３１１、３２１、３３１、３４１）と、少なくとも部分的に組み合わすこと（４０〜４３）ができることを特徴とする、請求項１６に記載の構成物。
【請求項１８】
前記少なくとも２つの接続要素（４０４〜４０６）の一方の少なくとも１つの長孔（４００３）を、少なくとも１つの交点（４１０）を形成する前記少なくとも２つの接続要素（４０４〜４０６）の他方の少なくとも１つの首部（４００６）に対して、寸法決めすることによって、前記少なくとも１つの接続要素（４０４〜４０６）は、少なくとも１つの他の接続要素（４０４〜４０６）とさらに組み合わせることができることを特徴とする、請求項１７に記載の構成物。
【請求項１９】
前記少なくとも１つの接続要素（４０４〜４０６）は、少なくとも１つの結合部（４０７〜４０９）によって、前記少なくとも１つの他の接続要素（４０４〜４０６）とさらに組み合わせることができ、前記少なくとも１つの結合部（４０７〜４０９）は、
−互いから離間する少なくとも１つの第１の端面（１０１）及び少なくとも１つの第２の端面（１０２）と、
−少なくとも１つの長孔（１０５）と、
−高さが前記少なくとも１つの第１の端面（１０１）と前記少なくとも１つの第２の端面（１０２）との間の距離に満たない首部（１０６）と、を備え、
前記少なくとも１つの結合部（４０７〜４０９）の前記少なくとも１つの長孔（１０５）は、前記少なくとも２つの接続要素（４０４〜４０６）の前記交点（４１０）に対して、少なくとも部分的に寸法決めされる、ことを特徴とする、請求項１８に記載の構成物。
【請求項２０】
少なくとも１つの個別の要素が、前記少なくとも１つの第１の端面（１０１）及び／又は前記少なくとも１つの第２の端面（１０２）に、少なくとも１つの結合機関（１０７）を備える、請求項１２に記載の構成物。
【請求項２１】
少なくとも２つの要素の１つの群（２０〜２２、３０〜３４）の前記の個別の要素（２０１、２１１、２２１、３０１、３１１、３２１、３３１、３４１）は、交差するように、少なくとも部分的に組み合わされ、少なくとも１つの個別の要素（２０１、２１１、２２１、３０１、３１１、３２１、３３１、３４１）の前記少なくとも１つの長孔（１０５）は、少なくとも２つの要素の同一の群（２０〜２５、３０〜３９）の少なくとも１つの他の個別の要素（２０１、２１１、２２１、３０１、３１１、３２１、３３１、３４１）の前記首部（１０６）に対して、少なくとも部分的に寸法決めされる、請求項１２〜１６のいずれか１項に記載の構成物。
【請求項２２】
少なくとも１つの個別の第２又は第３の要素（２１１、２２１、３１１、３２１、３３１、３４１）の前記少なくとも１つの第２の端面（１０２）は、前記構成物の前の層（２３〜２５、３５〜３９）にて、少なくとも１つの個別の第１、第２又は第３の要素（２０１、２１１、２２１、３０１、３１１、３２１、３３１、３４１）の少なくとも１つの第１の端面（１０１）に少なくとも部分的に装着されることを特徴とする、請求項２１に記載の構成物。
【請求項２３】
前記構成物は、組み立てられた場合（２３〜２５、３５〜３９、５１１）に三次元物体を形成することを特徴とする、請求項１２〜２２のいずれか１項に記載の構成物。